(57)【要約】【課題】  既存のエレベータ設備を利用して、簡易な構成で、エレベータ利用者の制限やその解除を行うことが可能なエレベータ制御装置を提供する。【解決手段】  実施形態によればエレベータ制御装置は、特殊スイッチと、メインマイコン部とを備える。特殊スイッチは、予め設定された特定階の乗場呼び登録の禁止／許可の設定を切り替える。メインマイコン部は、特殊スイッチにより、特定階の乗場呼び登録を禁止するよう設定されているときに、特定階の乗場呼びボタンにおいて所定の禁止解除操作が行われると、特定階の呼び登録の禁止を所定時間解除する。【選択図】図１
2015229564.tif 000002
【特許請求の範囲】
【請求項１】
建物内の複数階床のうち、予め設定された特定階の乗場呼び登録の禁止／許可の設定を切り替える特殊スイッチと、
前記特殊スイッチにより、前記特定階の乗場呼び登録を禁止するよう設定されているときに、前記特定階の乗場呼びボタンにおいて所定の禁止解除操作が行われると、前記特定階の呼び登録の禁止を所定時間解除するメインマイコン部と、
を備えることを特徴とするエレベータ制御装置。
【請求項２】
前記所定の禁止解除操作は、前記特定階の乗場呼びボタンを所定時間以上の長押し操作である
ことを特徴とする請求項１に記載のエレベータ制御装置。
【請求項３】
前記メインマイコン部は、前記特殊スイッチにより、前記特定階の乗場呼び登録を禁止するよう設定されているときに、前記特定階の乗場呼びボタンにおいて所定の禁止解除操作が行われると、当該禁止解除操作に基づく操作信号を受け付けたことを通知するために、前記特定階の乗場ボタンを少なくとも１回点滅させる
ことを特徴とする請求項１または２に記載のエレベータ制御装置。
【発明の詳細な説明】
【技術分野】
【０００１】
本発明の実施形態は、エレベータ制御装置に関する。
【背景技術】
【０００２】
従来、建物内のセキュリティ強化のために、エレベータの利用を制限する場合がある。
【０００３】
例えば、特別養護老人施設において、各階のエレベータ乗場にカードリーダやテンキー装置を設置しておき、施設の職員等、エレベータの利用を許可された人のみが所持するカードの情報をカードリーダで読み取らせたとき、または、テンキー装置で特定の操作を行ったときにのみ、エレベータの乗場呼び登録を可能にするものがある。
【０００４】
このようにエレベータの利用を制限することにより、外出を許可されていない利用者がエレベータを利用して建物から出ることを防止したり、建物内への入場が許可されていない利用者がエレベータを利用して侵入することを防止することができる。
【先行技術文献】
【特許文献】
【０００５】
【特許文献１】特開昭６２−２７２８１号公報
【発明の概要】
【発明が解決しようとする課題】
【０００６】
しかし上述したようにエレベータの利用を制限する場合、エレベータ乗場にカードリーダやテンキー装置を設置する必要があり、設備コストがかかるとともに、既設の建物に新たに設置することは困難であるという問題があった。
【０００７】
本発明は上記事情に鑑みてなされたものであり、既存のエレベータ設備を利用して、簡易な構成で、エレベータ利用者の制限やその解除を行うことが可能なエレベータ制御装置を提供することを目的とする。
【課題を解決するための手段】
【０００８】
上記目的を達成するための実施形態によればエレベータ制御装置は、特殊スイッチと、メインマイコン部とを備える。特殊スイッチは、予め設定された特定階の乗場呼び登録の禁止／許可の設定を切り替える。メインマイコン部は、特殊スイッチにより、特定階の乗場呼び登録を禁止するよう設定されているときに、特定階の乗場呼びボタンにおいて所定の禁止解除操作が行われると、特定階の呼び登録の禁止を所定時間解除する。
【図面の簡単な説明】
【０００９】
【図１】一実施形態によるエレベータ制御装置を利用したエレベータの構成を示す全体図。
【図２】一実施形態によるエレベータ制御装置の構成を示すブロック図。
【図３】一実施形態によるエレベータ制御装置において、特殊スイッチが操作されたときに実行される処理を示すフローチャート。
【図４】一実施形態によるエレベータ制御装置において、特定階の乗場呼びボタンで禁止解除操作が行われたときに実行される処理を示すフローチャート。
【発明を実施するための形態】
【００１０】
〈一実施形態によるエレベータの構成〉
本発明の一実施形態によるエレベータの構成について、図１を参照して説明する。
【００１１】
本実施形態によるエレベータ１は、３階建ての建物に設置されており、昇降路２上部の機械室３に設置された巻上げ機４にメインロープ５が掛け渡され、メインロープ５の一端には乗りかご６が吊り下げられ、他端には釣り合い錘７が吊り下げられている。乗りかご６および釣り合い錘７は、巻上げ機４のモータ（図示せず）が駆動することにより昇降路２を昇降する。
【００１２】
乗りかご６にはかご内操作盤６１が設置されており、かご内操作盤６１には、かご内ボタン群６１ａおよび、予め設定された特定階の乗場呼び登録の禁止／許可の設定を切り替える特殊スイッチ６１ｂが設けられている。
【００１３】
また、１階のエレベータ乗場には乗場操作盤８−１が設置され、乗場操作盤８−１には上方向乗場呼びボタン８−１ａが設けられている。また、２階のエレベータ乗場には乗場操作盤８−２が設置され、乗場操作盤８−２には上方向乗場呼びボタン８−２ａおよび下方向乗場呼びボタン８−２ｂが設けられている。また、３階のエレベータ乗場には乗場操作盤８−３が設置され、乗場操作盤８−３には下方向乗場呼びボタン８−３ａが設置されている。
【００１４】
かご内ボタン群６１ａのボタン、特殊スイッチ６１ｂ、および、乗場呼びボタン８−１ａ、８−２ａ、８−２ｂ、８−３ａは、利用者により操作されると当該ボタンの識別情報および操作内容（短押し、長押し等）を含む操作信号を生成し、機械室３に設置されたエレベータ制御盤９に送信する。
【００１５】
エレベータ制御盤９は、乗りかご６とテールコード１０で接続されるとともに、乗場操作盤８−１〜８−３に伝送信号線１１で接続され、さらに、巻上げ機４に伝送信号線１２で接続されている。
【００１６】
エレベータ制御盤９の詳細な構成を、図２に示す。エレベータ制御盤９は、信号入出力部９１と、メインマイコン部９２と、モータ制御部９３とを有する。
【００１７】
信号入出力部９１は、乗りかご６のかご内操作盤６１に設置されたかご内ボタン群６１ａおよび特殊スイッチ６１ｂ、乗場操作盤８−１に設置された上方向乗場呼びボタン８−１ａ、乗場操作盤８−２に設置された上方向乗場呼びボタン８−２ａおよび下方向乗場呼びボタン８−２ｂ、乗場操作盤８−３に設置された下方向乗場呼びボタン８−３ａの操作に基づいて送信された操作信号を入力する。
【００１８】
また信号入出力部９１は、後述するように、メインマイコン部９２から送出されるボタンの点灯や点滅に関する信号を、該当する乗場操作盤８−１〜８−３、またはかご内操作盤６１に送出する。
【００１９】
メインマイコン部９２は、呼び登録を行うために行われた、かご内ボタン群６１ａ、上方向乗場呼びボタン８−１ａ、８−２ａ、または下方向乗場呼びボタン８−２ｂ、８−３ａの操作に基づく操作信号が信号入出力部９１から入力されると、当該操作信号を受け付けたことを通知するためのボタン点灯信号を生成して信号入出力部９１に送出するとともに、最新の乗りかご６の現在位置情報と、入力された操作信号とに基づいて、乗りかご６を上昇または下降させるための制御信号を生成し、モータ制御部９３に送出する。
【００２０】
またメインマイコン部９２は、特殊スイッチ６１ｂのＯＮ／ＯＦＦ切替操作に基づく操作信号が信号入出力部９１から入力されると、予め設定された特定階の乗場呼び登録の禁止／許可の設定を切り替える。
【００２１】
またメインマイコン部９２は、予め設定された特定階の乗場呼び登録を禁止するよう設定しているときに、当該特定階の乗場呼びボタンにおいて行われた所定の禁止解除操作の操作信号が信号入出力部９１から入力されると、当該操作信号を受け付けたことを通知するためのボタン点滅信号を生成して信号入出力部９１に送出するとともに、特定階の乗場呼び登録の禁止を所定時間解除する。
【００２２】
モータ制御部９３は、メインマイコン部９２から取得した制御信号に基づいて、巻上げ機４のモータを駆動する。
【００２３】
〈一実施形態によるエレベータの動作〉
次に、本実施形態によるエレベータ１の動作について、図３および４のフローチャートを参照して説明する。
【００２４】
本実施形態において、エレベータ１の通常運転時（特殊スイッチ６１ｂがＯＦＦ状態のとき）は、乗りかご６のかご内操作盤６１に設置されたかご内ボタン群６１ａ、乗場操作盤８−１に設置された上方向乗場呼びボタン８−１ａ、乗場操作盤８−２に設置された上方向乗場呼びボタン８−２ａ、下方向乗場呼びボタン８−２ｂ、乗場操作盤８−３に設置された下方向乗場呼びボタン８−３ａのいずれかが呼び登録のために操作されると、当該操作に基づいて操作信号が生成される。生成された操作信号は、エレベータ制御盤９の信号入出力部９１から入力され、メインマイコン部９２で取得される。
【００２５】
メインマイコン部９２では、信号入出力部９１から入力された操作信号に基づいて、操作されたボタンを点灯させるためのボタン点灯信号が生成され、信号入出力部９１に送出される。
【００２６】
信号入出力部９１では、メインマイコン部９２から取得されたボタン点灯信号が該当する操作盤に送信される。ボタン点灯信号が受信された操作盤では、操作されたボタンが点灯され、これにより呼び登録操作がエレベータ制御盤９で受け付けられたことが利用者に通知される。
【００２７】
またメインマイコン部９２では、乗りかご６の現在位置情報を所定時間間隔で取得しており、最新の乗りかご６の現在位置情報と、信号入出力部９１から入力された操作信号とに基づいて、乗りかご６を上昇または下降させるための制御信号が生成され、モータ制御部９３に送出される。
【００２８】
モータ制御部９３では、メインマイコン部９２から取得された制御信号に基づいて、巻上げ機４のモータが駆動される。モータの駆動により乗りかご６が昇降し、利用者の呼び登録操作への応答が行われる。
【００２９】
このように、呼び登録操作に応答してエレベータ制御盤９が動作している状態（通常運転状態；Ｓ１）で、当該建物の管理人等により、特定階への一般利用者の入場を制限するために特殊スイッチ６１ｂがＯＦＦ状態からＯＮ状態に切り替えられると、当該操作に基づく操作信号が生成され、エレベータ制御盤９に送信される。本実施形態においてエレベータ制御盤９には、特定階として「３階」が予め設定されているものとする。
【００３０】
エレベータ制御盤９では、取得された操作信号が信号入出力部９１から入力され、さらにメインマイコン部９２で取得される。
【００３１】
メインマイコン部９２では、特殊スイッチ６１ｂがＯＮ状態に切り替えられたことを示す操作信号が取得されると（Ｓ２の「YES」）、特定階「３階」の乗場呼びボタン８−３ａによる乗場呼び登録を禁止するよう設定される（Ｓ３）。このように設定されることにより、以降の「３階」の乗場ボタン８−３ａによる乗場呼び登録が禁止される。
【００３２】
特定階「３階」の乗場呼びボタン８−３ａによる乗場呼び登録を禁止するよう設定されているときの、エレベータ制御盤９の動作について、図４のフローチャートを参照して説明する。
【００３３】
特定階の乗場呼び登録を禁止する設定が行われた状態で、特定階「３階」の乗場呼びボタン８−３ａにおいて所定の禁止解除操作が行われると、当該操作に基づく操作信号がエレベータ制御盤９に送信される。この「所定の禁止解除操作」とは禁止解除操作として認識するために予め設定された操作であり、例えば、乗場呼びボタンを３秒以上長押しする操作等である。
【００３４】
エレベータ制御盤９では、取得された操作信号が信号入出力部９１から入力され、さらにメインマイコン部９２で取得される。
【００３５】
メインマイコン部９２では、禁止解除操作が行われたことを示す操作信号が取得されると（Ｓ１１の「YES」）、当該操作信号を受け付けたことを通知するためのボタン点滅信号が生成され、信号入出力部９１に送出される。
【００３６】
信号入出力部９１では、メインマイコン部９２から取得されたボタン点滅信号が該同する操作盤に送信される（Ｓ１２）。ボタン点滅信号が受信された操作盤では、操作されたボタンが少なくとも１回点滅し、禁止解除操作がエレベータ制御盤９で受け付けられたことが利用者に通知される。
【００３７】
またメインマイコン部９２では、禁止解除操作が行われたことを示す操作信号が取得されると、特定階の乗場呼び登録を禁止する設定が解除される（Ｓ１３）。
【００３８】
その後、禁止の設定が解除されてから一定時間が経過したか否かが監視され（Ｓ１４）、一定時間が経過する前に特定階「３階」の乗場呼びボタン８−３ａで乗場呼び登録操作が行われると（Ｓ１４の「YES」、Ｓ１５の「YES」）、通常運転時と同様に、当該乗場呼び登録操作への応答が行われ（Ｓ１６）、乗りかご６が昇降する。
【００３９】
またステップＳ１４において、禁止の設定が解除されてから一定時間が経過したと判断されると（Ｓ１４の「NO」）、特定階「３階」の乗場呼び登録を禁止するよう、再度設定される（Ｓ１７）。
【００４０】
このステップＳ１１〜Ｓ１７の処理は、特殊スイッチがＯＮ状態の間、継続して実行される。
【００４１】
その後、特殊スイッチ６１ｂがＯＮ状態からＯＦＦ状態に切り替えられると、当該操作に基づく操作信号が生成され、エレベータ制御盤９に送信される。
【００４２】
エレベータ制御盤９では、取得された操作信号が信号入出力部９１から入力され、さらにメインマイコン部９２で取得される。
【００４３】
メインマイコン部９２では、特殊スイッチ６１ｂがＯＦＦ状態に切り替えられたことを示す操作信号が取得されると（Ｓ４の「YES」）、特定階「３階」の乗場呼びボタン８−３ａによる乗場呼び登録を許可するように設定が切り替えられ、通常運転に戻る。
【００４４】
以上の本実施形態によれば、管理人等により特定階の乗場呼び登録を禁止するように設定されているときにも、既存のエレベータ設備を利用した簡易な構成を利用して、一時的にエレベータの利用制限を解除することができ、利用者の利便性を向上させることができる。
【００４５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４６】
１…エレベータ、２…昇降路、３…機械室、４…巻上げ機、５…メインロープ、７…釣り合い錘、８−１〜８−３…乗場操作盤、８−１ａ、８−２ａ、８−２ｂ、８−３ａ…乗場呼びボタン、９…エレベータ制御盤、１０…テールコード、１１、１２…伝送信号線、６１…かご内操作盤、６１ａ…かご内ボタン群、６１ｂ…特殊スイッチ、９１…信号入出力部、９２…メインマイコン部、９３…モータ制御部
【図１】
2015229564.tif 000003
【図２】
2015229564.tif 000004
【図３】
2015229564.tif 000005
【図４】
2015229564.tif 000006
【手続補正書】
【提出日】平成27年5月26日(2015.5.26)
【手続補正１】
【補正対象書類名】特許請求の範囲
【補正対象項目名】請求項１
【補正方法】変更
【補正の内容】
【請求項１】
建物内の複数階床のうち、予め設定された特定階の乗場呼び登録の禁止／許可の設定を切り替える特殊スイッチと、
前記特殊スイッチにより、前記特定階の乗場呼び登録を禁止するよう設定されているときに、前記特定階の乗場呼びボタンにおいて、予め設定された所定の禁止解除操作が行われると、前記特定階の呼び登録の禁止を所定時間解除するメインマイコン部と、
を備えることを特徴とするエレベータ制御装置。
【手続補正２】
【補正対象書類名】明細書
【補正対象項目名】０００８
【補正方法】変更
【補正の内容】
【０００８】
上記目的を達成するための実施形態によればエレベータ制御装置は、特殊スイッチと、メインマイコン部とを備える。特殊スイッチは、予め設定された特定階の乗場呼び登録の禁止／許可の設定を切り替える。メインマイコン部は、特殊スイッチにより、特定階の乗場呼び登録を禁止するよう設定されているときに、特定階の乗場呼びボタンにおいて、予め設定された所定の禁止解除操作が行われると、特定階の呼び登録の禁止を所定時間解除する。